(57)【要約】      （修正有）【課題】異なる複数の楽器を一使用者によって簡易に操作することができる楽器を提供する。【解決手段】鍵盤楽器と打楽器が一体化した楽器１であり、楽器１の右面と左面の両面に、音階の出る鍵盤楽器を基本にして、音を発する１または２以上の打楽器を設置したことを特徴とする。鍵盤楽器の鍵盤を押している手と同じ手により打楽器を演奏できる構成において、どの位置の鍵盤を押していても打楽器が演奏可能であるとともに、打楽器が演奏するスティックが固定されていることで、打楽器を叩く位置が変化しないことを可能にする。また、体の前面に楽器をかけることができるベルトを備えていることで演奏しながらの行進を可能とする。音楽を演奏する方たちがフェスティバルやパーティーなどのイベントにて幅の広い多くの演奏を実施することができる。【選択図】図１
0003205275.tif 000002
【実用新案登録請求の範囲】
【請求項１】
音階の出る鍵盤楽器を基本にして、音を発する１または２以上の打楽器を両側に設置し、それを一体化して備えたことを特徴とする楽器。
【請求項２】
前記鍵盤楽器の鍵盤を押している手と同じ手により打楽器を演奏できる構成において、どの位置の鍵盤を押していても打楽器が演奏可能であることを特徴とする請求項１記載の楽器。
【請求項３】
前記打楽器を演奏するスティックが固定されていることで打楽器を叩く位置が変化しないことを特徴とする請求項１または２記載の楽器。
【請求項４】
体の前面に楽器をかけることができるベルトを備えている請求項１〜３の何れかの１項に記載の楽器。
【考案の詳細な説明】
【技術分野】
【０００１】  本考案は一使用者が鍵盤楽器を基本として付属打楽器を同時に操作し、音楽を演奏するための楽器に関するものである。
【背景技術】
【０００２】  従来の楽器は通称「ワンマンバンド」として知られていて、前面にギター、後面に複数の打楽器を組み合わせたものを装着して演奏を実施する。【０００３】  また最近に至るまでフェスティバル、パーティーなどのイベントにおいて会場ステージで演奏が実施されていた。
【考案の概要】
【考案が解決しようとする課題】
【０００４】  しかしながら使用されるこれらの楽器は大掛かりなものが多く、準備や移動に時間がかかり、その位置に付属する音響機材を固定することで可動範囲が限られ、演奏しながらの行進は不可能という欠点があった。【０００５】  また特殊な演奏技術を必要とするため、ごく限られた演奏者のみによって実施されてきた。【０００６】  本考案は、このような従来の問題を解決しようとするものでその目的は異なる複数の楽器を一使用者によって簡易に操作することができる楽器を提供することにある。
【課題を解決するための手段】
【０００７】  本考案は上記の目的を鑑みてなされたものであり、その要旨とするところは当楽器の音階の出る鍵盤楽器を基本として音を発する１または２以上の打楽器を両側に設置し、それを一体化して備えたことを特徴とする楽器にある。【０００８】  前記、鍵盤楽器を基本とする１または２以上の打楽器を両側に設置し、鍵盤楽器を押している手により打楽器を演奏できる構成において、どの位置の鍵盤を押していても打楽器が演奏可能である。【０００９】  また、打楽器を演奏するスティックが固定されていることで打楽器を叩く位置が変化しないことを特徴とする。【００１０】  本考案の他の請求項である体の前面に装着するベルトを備えていることで演奏しながらの行進を可能とする。【００１１】  この楽器の演奏をしながらボーカル（手を使用しないすべてのメロディー楽器を含む）を奏でることを可能とする。
【考案の効果】
【００１２】  本考案によれば鍵盤楽器を基本にして、音を発する１または２以上の打楽器を両側に設置し、それを一体化して備えることにより、幅広く多くの音楽を演奏する方たちにフェスティバルやパーティー等イベントにて使用することができる。
【図面の簡単な説明】
【００１３】
【図１】図１は本考案にかかる楽器の一実施例を示す二局面から見た斜視図である。
【図２】図２は演奏者から見て右側の側面を表した分解斜視図である。
【図３】図３は演奏者から見て左側の側面を表した分解斜視図である。
【図４】図４は当楽器を上から捉えた平面図である。
【図５】図５は当楽器を正面から捉えた平面図である。
【考案を実施するための形態】
【００１４】  以下、本考案の実施例を添付図面に基づいて説明するが本考案はこれに限定されるものではない。
【実施例】
【００１５】  図１乃至図５において１が本考案にかかる楽器であって楽器１は図１に図示するように、互いに合致結合することにより、右面基体２（第１鍵盤楽器、タンバリン、ライドシンバル、ライドシンバルを打つスティック）と左面基体３（第２鍵盤楽器、バスカスタネット、フィルイン用カスタネット上下、クラッシュシンバル、クラッシュシンバルを打つスティック）で構成して、図４に図示するように、上部基体１６に鍵盤楽器４，１０とスピーカー１９をつなげる音源タブレット１７、１８が内蔵されている。
また図５に図示するように、スピーカーの下には各音量を調整できるミキサー２０を設置する。【００１６】  図２で示される第１鍵盤楽器４（アコーディオン、ピアノ等の主旋律、副旋律、伴奏を担当）は演奏者から見て向こう側となる前部に取り付ける。その横に付随するようにライドシンバル用スティック８とライドシンバル９を取り付け形成する。【００１７】  図２に示される右面基体２は複数の楽器を設置できるように備えている。弾力性のある金具Ａ６、金具Ｂ７を右面基体２の演奏者から見て手前側となる後部に片方のみ取り付ける。両側の固定をしていないため金具Ａ６、金具Ｂ７は押すと撓るように作用する。その特性を利用してもう片方に形成されたタンバリン組み合わせ５を取り付け、掌で叩くことによりタンバリンは鳴動する。これにより鍵盤楽器のどの位置を右手の指で押さえても右面基体２の全楽器を操作することが可能となる。【００１８】  図３に示される左面基体３は右面基体２と同様に複数の楽器を設置できるように備えている。第２鍵盤楽器１０（ベース）は演奏者から見て向こう側となる前部に取り付ける。その横に付随するようにフィルイン用カスタネット上部１１とフィルイン用カスタネット下部１２とバスカスタネット１３を演奏者から見て手前側となる後部に取り付ける。【００１９】  図３に示される左面基体３の上部にクラッシュシンバル１５、クラッシュシンバル用スティック１４を取り付けることで形成する。これにより左手で鍵盤楽器のどの位置を抑えても左面基体３の全楽器を操作することが可能となる。【００２０】  図４に示される上部基体１６は２機の音源タブレット１７、１８を内蔵していてコードを通じて第１鍵盤楽器４，第２鍵盤楽器１０に繋がっている。第１鍵盤楽器４，第２鍵盤楽器１０で操作された信号はタブレット１７、１８で音源となり図５に示されるミキサー２０を通じてスピーカー１９まで流れるシステムとなっている。【００２１】  図２及び図３に示されるスティック８、１４は先端が球状に形成されている。これをトング状の弾力ある金属の片方に固定し、もう片方は右面基体２、左面基体３にネジで完全固定する。これによりスティックが固定されて打楽器を叩く位置が変化しないことを可能とする。【００２２】  また楽器１は体前方に装着することができるベルト２１が設置されているため、演奏しながら行進することを可能とする。【００２３】  以上、本考案にかかる楽器は、基体材質としては木材、金属、プラスチックの中から適当なものを選ぶことができ、打楽器としてはカウベル、キーブロック、鈴、マラカスの中から代用して選ぶことができる。【００２４】  また本考案にかかる楽器を用いて主旋律をボーカル（手を使用せずにメロディーを奏でることができるものすべてを含む）で奏でることにより一使用者がすべての楽器の操作を可能として、幅の広い音楽演奏を実施することができる。
【産業上の利用可能性】
【００２５】  本考案の楽器はコンパクトに収まり、簡易に操作することができ、たくさんの利用者に利用していただくことにより音楽性を高め、産業の発展に寄与できるものと考えられる。
【符号の説明】
【００２６】          １・・・楽器
２・・・右面基体
３・・・左面基体
４・・・第１鍵盤楽器
５・・・タンバリン組み合わせ
６・・・金具１
７・・・金具２
８・・・ライドシンバル用スティック
９・・・ライドシンバル
１０・・・第２鍵盤楽器
１１・・・フィルイン用カスタネット上部
１２・・・フィルイン用カスタネット下部
１３・・・バスカスタネット
１４・・・クラッシュシンバル用スティック
１５・・・クラッシュシンバル
１６・・・上部基体
１７・・・第１鍵盤楽器用音源タブレット
１８・・・第２鍵盤楽器用音源タブレット
１９・・・スピーカー
２０・・・ミキサー
２１・・・ベルト
【図１】
0003205275.tif 000003
【図２】
0003205275.tif 000004
【図３】
0003205275.tif 000005
【図４】
0003205275.tif 000006
【図５】
0003205275.tif 000007
【手続補正書】
【提出日】平成28年4月20日(2016.4.20)
【手続補正１】
【補正対象書類名】実用新案登録請求の範囲
【補正対象項目名】全文
【補正方法】変更
【補正の内容】
【実用新案登録請求の範囲】
【請求項１】
鍵盤楽器と打楽器が一体化した楽器であり、楽器の右面と左面の両面に、音階の出る鍵盤楽器を基本にして、音を発する１または２以上の打楽器を設置したことを特徴とする楽器。
【請求項２】
前記楽器の右面と左面の両面において、鍵盤楽器を演奏する同じ手の可動範囲内で打楽器が設置されている構成により、どの位置の鍵盤を押していても打楽器が演奏可能であることを特徴とする請求項１記載の楽器。
【請求項３】
前記楽器の鍵盤楽器を演奏する同じ手で操作できるスティックを演奏者から見て鍵盤楽器より手前側に配置し固定することで、シンバルを叩く位置が変化しないことを特徴とする請求項１または２記載の楽器。
【請求項４】
体の前面に楽器をかけることができるベルトを備えている請求項１〜３の何れかの１項に記載の楽器。